(57)【要約】【課題】地震などによる地盤の液状化を防止することが可能なであるとともに、経済性及び施工性を向上することのできるソイルセメント壁を提供する。【解決手段】軟弱層４を含んだ地盤の液状化を防止すべく建物を取り囲むように地中に設けられたソイルセメント壁１０は、横方向に並ぶように配置された、表面に凸部１５を有する鉛直方向に延びる複数のＨ型鋼１２と、これらＨ型鋼１２を壁面両側で連結する横方向に延びる鋼材とからなる第１の芯部材１１がソイルセメント１３内に埋設されると共に、支持層３まで到達する壁杭部２０を備え、少なくとも軟弱層４内及び支持層３内のソイルセメント１３が高強度ソイルセメントにより構成されている。【選択図】図３
2007277831.tif 000002
【特許請求の範囲】
【請求項１】
軟弱層を含んだ地盤の液状化を防止すべく建物を取り囲むように地中に設けられたソイルセメント壁であって、
表面に凸部を有する鉛直方向に延びる鉄骨部材からなる芯部材がソイルセメント内に埋設されると共に、
ソイルセメントの少なくとも一部が高強度ソイルセメントにより構成されていることを特徴とするソイルセメント壁。
【請求項２】
軟弱層を含んだ地盤の液状化を防止すべく建物を取り囲むように地中に設けられたソイルセメント壁であって、
横方向に並ぶように配置された、表面に凸部を有する鉛直方向に延びる複数の鉄骨部材と、これら鉄骨部材を壁面両側で連結する横方向に延びる鋼材とからなる芯部材がソイルセメント内に埋設されると共に、
ソイルセメントの少なくとも一部が高強度ソイルセメントにより構成されていることを特徴とするソイルセメント壁。
【請求項３】
軟弱層を含んだ地盤の液状化を防止すべく建物を取り囲むように地中に設けられたソイルセメント壁であって、
表面に凸部を有する鉛直方向に延びる鉄骨部材からなる芯部材がソイルセメント内に埋設されると共に、支持層まで到達する壁杭部を備え、
少なくとも前記軟弱層内及び支持層内のソイルセメントが高強度ソイルセメントにより構成されていることを特徴とするソイルセメント壁。
【請求項４】
軟弱層を含んだ地盤の液状化を防止すべく建物を取り囲むように地中に設けられたソイルセメント壁であって、
横方向に並ぶように配置された、表面に凸部を有する鉛直方向に延びる複数の鉄骨部材と、これら鉄骨部材を壁面両側で連結する横方向に延びる鋼材とからなる芯部材がソイルセメント内に埋設されると共に、支持層まで到達する壁杭部を備え、
少なくとも前記軟弱層内及び支持層内のソイルセメントが高強度ソイルセメントにより構成されていることを特徴とするソイルセメント壁。
【請求項５】
請求項３又は４記載のソイルセメント壁であって、
少なくとも前記軟弱層に相当する部分に、横方向に並ぶように配置された鉛直方向に延びる複数の鉄骨と、これら鉄骨を壁面両側で連結する横方向に延びる鋼材とからなる第２の芯部材をソイルセメント内に埋設してなることを特徴とするソイルセメント壁。
【請求項６】
軟弱層を含んだ地盤の液状化を防止すべく建物を取り囲むように地中に設けられたソイルセメント壁であって、
表面に凸部を有する鉛直方向に延びる鉄骨部材からなる第１の芯部材がソイルセメント内に埋設されると共に、支持層まで到達する壁杭部を備え、
前記壁杭部は、支持層内のソイルセメントが高強度ソイルセメントにより構成されており、
少なくとも前記軟弱層に相当する部分に、横方向に並ぶように配置された鉛直方向に延びる複数の鉄骨と、これら鉄骨を壁面両側で連結する横方向に延びる鋼材とからなる第２の芯部材がソイルセメント内に埋設されていることを特徴とするソイルセメント壁。
【請求項７】
軟弱層を含んだ地盤の液状化を防止すべく建物を取り囲むように地中に設けられたソイルセメント壁であって、
横方向に並ぶように配置された、表面に凸部を有する鉛直方向に延びる複数の鉄骨部材と、これら鉄骨部材を壁面両側で連結する横方向に延びる鋼材とからなる第１の芯部材がソイルセメント内に埋設されると共に、支持層まで到達する壁杭部を備え、
前記壁杭部は、支持層内のソイルセメントが高強度ソイルセメントにより構成されており、
少なくとも前記軟弱層に相当する部分に、横方向に並べた複数本の鉄骨と、これら鉄骨を壁面両側でお互いに連結する横方向に延びる鋼材とを備える第２の芯部材をソイルセメント内に埋設されていることを特徴とするソイルセメント壁。
【請求項８】
前記凸部は、鉄骨部材の表面にアングル材又は波板を水平方向に延びるように取付けることにより形成されたことを特徴とする請求項１から７何れかに記載のソイルセメント壁。
【請求項９】
前記鉄骨部材の表面には、スタッドが取り付けられていることを特徴とする請求項１から８何れかに記載のソイルセメント壁。
【請求項１０】
前記鉄骨部材はＨ型鋼であり、前記凸部はＨ型鋼のウェブの表面に設けられていることを特徴とする請求項１から９何れかに記載のソイルセメント壁。
【請求項１１】
前記凸部は、前記鉄骨部材の支持層に相当する位置に設けられていることを特徴とする請求項１から１０何れかに記載のソイルセメント壁。
【請求項１２】
請求項１から１１何れかに記載のソイルセメント壁と、複数の基礎杭を備えることを特徴とする建物の基礎構造。
【発明の詳細な説明】
【技術分野】
【０００１】
本発明は、ソイルセメント壁及び基礎構造に関し、特に、軟弱層を含んだ地盤の液状化を防止すべく建物を取り囲むように地中に設けられるソイルセメント壁及びこのソイルセメント壁と基礎杭からなる基礎構造に関する。
【背景技術】
【０００２】
水分を多く含む砂質の軟弱層は、地震などが起こると地震動の作用により液状化現象を起こすことがある。地盤の液状化が起こると、地盤が建物の荷重を負担することができなくなり、建物の沈下や倒壊を招いてしまう。
このため、軟弱層を含む地盤に建物を建てる際には、液状化対策を講じなければならない。このような液状化に対する対策としては、地盤改良を施す方法や地中連続壁で建物の地下部分の外周を囲う方法があげられる。しかし、地盤改良を施す方法では、建物の支持地盤を所定深さまで掘削し支持地盤を構成する土砂を入れ替えなければならず、手間とコストがかかり、また、地中連続壁を構築する方法も地盤の掘削とコンクリート打設のために多額の費用が必要となる。
【０００３】
そこで、安価な液状化対策方法として、例えば特許文献１には、建物の地下部分の外周に山留め壁として設けられるソイルセメント柱列壁の芯材として用いた鋼管を、継手を介して接続し、さらに、ソイルセメント柱列壁上部と建物を一体に設けることによる液状化対策方法が記載されている。
【特許文献１】特開平８−９８６７号公報
【発明の開示】
【発明が解決しようとする課題】
【０００４】
しかし、この液状化対策方法は、ソイルセメント柱列壁の内外を隔離し、外部の間隙水圧の上昇が内部に伝わることを抑えるために、ソイルセメント柱列壁に埋設された鋼管を継手を用いて接続するのみであり、鋼管同士を一体に緊結したものではない。そのため、特許文献１記載のソイルセメント柱列壁では、ソイルセメント柱列壁内部の土砂を拘束するためには耐力が不十分であり、大きい地震などの場合に軟弱層に大きなせん断歪みが生じた場合は、ソイルセメント柱列壁を通して軟弱層にせん断歪みが伝達してしまい、液状化が生ずるおそれがある。
【０００５】
そこで、本発明の目的は、地震などによる地盤の液状化を防止することができるとともに、経済性及び施工性を向上することのできるソイルセメント壁を提供することとにある。
【課題を解決するための手段】
【０００６】
本発明のソイルセメント壁は、軟弱層を含んだ地盤の液状化を防止すべく建物を取り囲むように地中に設けられたソイルセメント壁であって、表面に凸部を有する鉛直方向に延びる鉄骨部材からなる芯部材がソイルセメント内に埋設されると共に、ソイルセメントの少なくとも一部が高強度ソイルセメントにより構成されていることを特徴とする。
また、本発明のソイルセメント壁は、軟弱層を含んだ地盤の液状化を防止すべく建物を取り囲むように地中に設けられたソイルセメント壁であって、横方向に並ぶように配置された、表面に凸部を有する鉛直方向に延びる複数の鉄骨部材と、これら鉄骨部材を壁面両側で連結する横方向に延びる鋼材とからなる芯部材がソイルセメント内に埋設されると共に、ソイルセメントの少なくとも一部が高強度ソイルセメントにより構成されていることを特徴とする。
また、本発明のソイルセメント壁は、軟弱層を含んだ地盤の液状化を防止すべく建物を取り囲むように地中に設けられたソイルセメント壁であって、表面に凸部を有する鉛直方向に延びる鉄骨部材からなる芯部材がソイルセメント内に埋設されると共に、支持層まで到達する壁杭部を備え、少なくとも前記軟弱層内及び支持層内のソイルセメントが高強度ソイルセメントにより構成されていることを特徴とする。
【０００７】
また、本発明のソイルセメント壁は、軟弱層を含んだ地盤の液状化を防止すべく建物を取り囲むように地中に設けられたソイルセメント壁であって、横方向に並ぶように配置された、表面に凸部を有する鉛直方向に延びる複数の鉄骨部材と、これら鉄骨部材を壁面両側で連結する横方向に延びる鋼材とからなる芯部材がソイルセメント内に埋設されると共に、支持層まで到達する壁杭部を備え、少なくとも前記軟弱層内及び支持層内のソイルセメントが高強度ソイルセメントにより構成されていることを特徴とする。なお、本発明の凸部はスタッドを含まないものである。
【０００８】
上記のソイルセメント壁において、少なくとも前記軟弱層に相当する部分に、横方向に並ぶように配置された鉛直方向に延びる複数の鉄骨と、これら鉄骨を壁面両側で連結する横方向に延びる鋼材とからなる第２の芯部材をソイルセメント内に埋設してもよい。
【０００９】
また、本発明のソイルセメント壁は、軟弱層を含んだ地盤の液状化を防止すべく建物を取り囲むように地中に設けられたソイルセメント壁であって、表面に凸部を有する鉛直方向に延びる鉄骨部材からなる第１の芯部材がソイルセメント内に埋設されると共に、支持層まで到達する壁杭部を備え、前記壁杭部は、支持層内のソイルセメントが高強度ソイルセメントにより構成されており、少なくとも前記軟弱層に相当する部分に、横方向に並ぶように配置された鉛直方向に延びる複数の鉄骨と、これら鉄骨を壁面両側で連結する横方向に延びる鋼材とからなる第２の芯部材がソイルセメント内に埋設されていることを特徴とする。
【００１０】
また、本発明のソイルセメント壁は、軟弱層を含んだ地盤の液状化を防止すべく建物を取り囲むように地中に設けられたソイルセメント壁であって、横方向に並ぶように配置された、表面に凸部を有する鉛直方向に延びる複数の鉄骨部材と、これら鉄骨部材を壁面両側で連結する横方向に延びる鋼材とからなる第１の芯部材がソイルセメント内に埋設されると共に、支持層まで到達する壁杭部を備え、前記壁杭部は、支持層内のソイルセメントが高強度ソイルセメントにより構成されており、少なくとも前記軟弱層に相当する部分に、横方向に並べた複数本の鉄骨と、これら鉄骨を壁面両側でお互いに連結する横方向に延びる鋼材とを備える第２の芯部材をソイルセメント内に埋設されていることを特徴とする。
【００１１】
本発明によれば、ソイルセメント壁に囲まれた軟弱層を堅固に拘束することにより、軟弱地盤を構成する土砂に生じるせん断歪みを抑え、地盤の液状化を防止することができる。また、ソイルセメント壁に表面に凸部を有する鉄骨部材からなる芯材が埋設された壁杭部を設けることにより、伝達された建物の荷重を高強度ソイルセメントを介して、支持層に確実に伝達することができる。
【００１２】
ここで、前記凸部は、前記凸部は、鉄骨部材の表面にアングル材又は波板を水平方向に延びるように取付けることにより形成されてもよい。
また、前記鉄骨部材の表面には、スタッドが取り付けられていてもよい。
また、前記凸部は、前記鉄骨部材の支持層に相当する位置に設けられていてもよい。
【００１３】
さらに、本発明は、以上のソイルセメント壁と、複数の基礎杭とを備えることを特徴とする建物の基礎構造を含むものとする。
【発明の効果】
【００１４】
本発明によれば、ソイルセメント壁に囲まれた軟弱層を堅固に拘束することにより、軟弱地盤を構成する土砂に生じるせん断歪みを抑え、地盤の液状化を防止する。また、壁杭部に、表面に凸部を有する鉄骨を備える芯材を埋設したため、鉄骨に伝達された建物の荷重を支持層に確実に伝達することができる。このため、壁杭部を建物の外周近傍の基礎杭のとして機能させることができるので、基礎杭の本数を減らすことができ、基礎杭を造成するためにかかるコストや工期を削減することができる。
【発明を実施するための最良の形態】
【００１５】
以下、本発明の地中壁の一実施形態を図面を参照しながら説明する。なお、以下の説明ではソイルセメント壁を用いた場合について説明するが、これに限らず、ソイルセメント柱列壁を用いてもよい。
図１は、ソイルセメント壁１０の配置を示す水平方向断面図であり、図２は、図１におけるII−II’断面図であり、図３は、図１におけるIII−III’断面図であり、図４は図１におけるIV−IV’断面図である。本実施形態のソイルセメント壁１０は、土砂等からなる軟弱層４と、支持層３とを備える液状化を起こす可能性を有する地盤に設けられるものである。図１〜４に示すように、ソイルセメント壁１０は、建物２の周囲を取り囲むように設けられており、さらに、その下端は液状化を起こす可能性のある軟弱層４よりも深くまで到達している。また、ソイルセメント壁１０は、適宜間隔をあけて、下端が支持層３まで到達するように形成された壁杭部２０を備える。
【００１６】
図５は、壁杭部２０の詳細な構成を示す水平方向断面図である。同図に示すように、壁杭部２０は、ソイルセメント１３と、ソイルセメント１３内に埋設された芯材１１とで構成される。壁杭部２０を構成するソイルセメント１３は、支持層３及び軟弱層４に相当する部分が高強度ソイルセメント１６により構成され、それ以外の部分は、普通強度のソイルセメントにより構成される。なお、高強度ソイルセメント１６は、普通強度のソイルセメントに比べて土砂に対するセメント量の割合を増加させることで形成され、４［Ｎ／ｍｍ２］〜２０［Ｎ／ｍｍ２］程度の強度を有するソイルセメントである。
【００１７】
図６は、壁杭部２０に埋設された芯材１１を示す図であり、同図（Ａ）は斜視図であり、（Ｂ）は正面図である。同図に示すように、芯材１１は、横方向に並べられた鉛直方向に延びる複数のＨ型鋼１２と、これら複数のＨ型鋼１２を連結するようにＨ型鋼１２の両フランジ面１２Ａに取り付けられた鋼板１４とを備える。
【００１８】
図７は、芯材１１を構成するＨ型鋼１２を示す図であり、（Ａ）は斜視図、（Ｂ）は、鉛直方向断面図、（Ｃ）は正面図である。同図に示すように、Ｈ型鋼１２のウェブ１２Ｂの前記支持層３に相当する部位の表面には、水平方向に延びる凸部１５が形成されている。この凸部１５は、例えばアングル材をＨ型鋼１２のウェブ１２Ｂの表面に水平向きに溶接することにより形成することができる。このように形成された凸部１５は、その上方から頂部に向けて高さが次第に増加し、頂部から下方に向けて高さが次第に減少する構成となる。この凸部１５はＨ型鋼１２のウェブ１２Ｂの表面の少なくとも支持層３に相当する部分に取り付けられていればよいが、図３では凸部１５が支持層３より上方の地盤内にも設けた例を示している。
【００１９】
ソイルセメント壁１０の壁杭部２０以外の部分は、ソイルセメント１３と、ソイルセメント１３内に埋設された鉄骨１８とを備える。壁杭部２０以外の部分のソイルセメントは、軟弱層４に相当する深さの部分が高強度ソイルセメント１６により構成され、それ以外の部分は、普通強度のソイルセメントにより構成される。
【００２０】
通常のソイルセメント壁は、地盤を掘削することで発生した掘削土と掘削機の先端から噴出されたセメントミルクを混合攪拌してソイルセメントを形成し、このソイルセメントが硬化する前に鉄骨を挿入することにより構築される。
本実施形態のソイルセメント壁１０の壁杭部２０を構築する場合は、軟弱層４に相当する部分の土砂を掘削しながら掘削した土砂とセメントミルクとを混合攪拌する際に、土砂に混合するセメント量を増加させる。これにより、軟弱層４に相当する部分のソイルセメントを高強度ソイルセメント１６とすることにより構築することができる。また、壁杭部２０先端に高強度ソイルセメント１６を用いる場合にも、同様に、壁杭部２０下端において土砂に混合するセメント量を増加すればよい。なお、ソイルセメント壁１０内に埋設される芯材１１は、予め、地上において複数のＨ型鋼１２を鋼鈑１４により連結したておき、これをソイルセメント１３に挿入すればよい。
【００２１】
上述したように、本実施形態のソイルセメント壁１０は、軟弱層４あたる深さに高強度ソイルセメント１６を配置されているため、ソイルセメント壁１０で囲まれた軟弱層４の土砂を堅固に拘束することができるため、地震動による軟弱層４のせん断歪みが減少し、液状化を防ぐことができる。ソイルセメント壁１０は、液状化対策として従来用いられていた地中連続壁などに比べて、構築するために必要なコストを安く抑えることができるため、コストを削減することができる。
また、上述したように、Ｈ型鋼１２の凸部１５はその上下から頂部に向けて次第に高さが増加する形状であるため、芯材１１をソイルセメント１３内に挿入する際に抵抗とならず、容易に挿入することができるとともに、アングル材の下部に空気が入り込むことを防止し、さらに、ソイルセメント１３が硬化する際に生じるブリージングやスライムが凸部１５の下部に残留するのを防止できる。
【００２２】
また、本実施形態のソイルセメント壁１０の壁杭部２０は基礎杭の機能を持たせることができる。図８は、壁杭部２０に作用する力が芯材１１により支持層３に伝達される力の流れを示す図である。同図に示すように、建物２の荷重は鉛直下向きに壁杭部２０の芯材１１のＨ型鋼１２に伝達される。この荷重により、表面に設けられた凸部１５と高強度ソイルセメント１６との間に支圧力が作用し、この支圧力により建物の鉛直荷重が高強度ソイルセメント１６に伝達される。高強度ソイルセメント１６は支持層３まで到達しているため、建物の荷重は高強度ソイルセメント１６から支持層３に伝達される。
このように、本実施形態のソイルセメント壁１０は支持層３まで達する壁杭部２０を備えるとともに、この壁杭部２０に埋設されたＨ型鋼１２が凸部１５を有することで、基礎杭と同様に、建物２の荷重を支持層３に伝達することができる。なお、Ｈ型鋼１２には、支圧力により互いに離れる方向に力が作用するが、Ｈ型鋼１２同士が鋼板１４により連結されているため、この力に抵抗することができる。
【００２３】
以上説明したように、本実施形態のソイルセメント壁１０によれば基礎杭と同様に建物２の鉛直荷重を支持層３に伝達することができるため、基礎構造の一部として用いることができる。以下、本実施形態のソイルセメント壁１０を用いた基礎構造を説明する。
図９は、比較例として、従来の基礎構造３０を示す断面図である。また、図１０は、本実施形態のソイルセメント壁１０を用いた基礎構造４０を示す図である。図９に示すように、従来の基礎構造３０では、所定の間隔ごとに基礎杭３１が設けられており、これらの基礎杭３１のみで、建物２の鉛直荷重を支持層３に伝達している。
【００２４】
これに対して、図１０に示すように、本実施形態の基礎構造４０は、基礎杭４１に加えて、建物２の外周にソイルセメント壁１０を備える。上述したように、ソイルセメント壁１０の壁杭部２０は建物２の鉛直荷重を支持層３に伝達することができる。従って、従来の基礎構造３０において、建物２の外周近傍の基礎杭３１が負担していた荷重をソイルセメント壁１０の壁杭部２０に負担させることができるため、建物２の外周近傍の基礎杭４１を省略することができる。
このように、本実施形態のソイルセメント壁１０を備えた基礎構造４０によれば、外周近傍の基礎杭を省略することができるため、費用の削減及び工期の短縮が可能となる。また、当然ながら、根切りを行う際は、ソイルセメント壁１０を山留め壁として用い、ソイルセメント壁１０の内部の掘削を行うことができる。そのため、仮設である山留め壁を再利用することができるため、工費を削減することが可能である。
なお、上記の実施形態では、凸部１５をＨ型鋼１２の表面にアングル材を溶接することにより形成するものとしたが、これに限らず、例えば、Ｈ型鋼１２の表面に溝形、等辺の山形、不等辺山形、不等辺不等圧、Ｉ型、その他の一般形鋼や波板などを取付けることにより凸部を設けても良く、要するに、高強度ソイルセメント１６との間で支圧力が働き、Ｈ型鋼１２に作用する鉛直方向荷重を高強度ソイルセメント１６に伝達することができればよい。
【００２５】
なお、上記の実施形態では、Ｈ型鋼１２の表面に凸部１５のみを設ける構成としたが、これに加えて、図１０に示すように、スタッド１７を打設してもよい。上述したように、Ｈ型鋼１２の凸部１５において支圧力が発生し、この支圧力によりＨ型鋼１２と高強度ソイルセメント１６とを離間させる方向に力が作用するが、スタッド１７によりＨ型鋼１２と高強度ソイルセメント１６とが一体化することで、この力に抵抗することができる。すなわち、スタッド１７を設けることにより、凸部１５の支圧力によってＨ型鋼１２と高強度ソイルセメント１６を離間させる向きの力を打ち消すことができる。
【００２６】
また、上記の実施形態では、芯材１１を構成する鉄骨部材としてＨ型鋼１２を用いているが、これに限らず、鋼管などを用いてもよく、鋼管の表面に凸部を設けることにより同様の効果が得られる。
なお、上記の実施形態では、芯材１１が複数のＨ型鋼１２を鋼板１４で連結した構成としたが、これに限らず、表面に凸部を有するＨ型鋼が連結されることなく独立した構成としてもよい。このような構成でも、凸部と高強度ソイルセメントとの間で支圧力が作用するため、Ｈ型鋼に作用する建物の荷重を高強度ソイルセメントに伝達することができる。
【００２７】
また、上記実施形態のソイルセメント壁１０において、軟弱層４に相当する深さの部分のソイルセメント１３が高強度ソイルセメント１６により構成されるものとしたが、これに限らず、ソイルセメント壁を構成するソイルセメントの軟弱層に相当する部位に、横方向に並べられた複数のＨ型鋼と、複数のＨ型鋼を互いに連結する鋼板とで構成される芯部材（請求項の第２の芯部材に該当）を埋設する構成としてもよい。かかる構成によれば、複数のＨ型鋼を水平方向に緊結することにより、複数のＨ型鋼が一体となって地震動による水平せん断力を負担するため、水平方向せん断力に対する耐力を増大することができる。このため、上記の実施形態と同様に、地震動による軟弱層のせん断歪みを減らし、液状化を防ぐことができる。
また、ソイルセメント壁を構成するソイルセメントの軟弱層に相当する部位を高強度ソイルセメントで構成し、さらに、横方向に並べられた複数のＨ型鋼と、複数のＨ型鋼を互いに連結する鋼板とで構成される芯部材（請求項の第２の芯部材に該当）を埋設する構成としてもよい。
なお、上記の説明では、ソイルセメント壁に壁杭部を設けた場合について説明したが、これに限らず、壁杭部を設けずに、ソイルセメント壁を構成するソイルセメント内に上述した芯材を埋設する構成としてもよい。また、上記の説明では、軟弱層及び支持層内のソイルセメントが高強度ソイルセメントからなる構成としたが、これに限らず、ソイルセメント壁の少なくとも一部が高強度ソイルセメントで構成されていればよい。
【図面の簡単な説明】
【００２８】
【図１】本実施形態のソイルセメント壁の配置を示す水平方向断面図である。
【図２】図１におけるII−II´断面図である。
【図３】図１におけるIII−III´断面図である。
【図４】図１におけるIV−IV´断面図である。
【図５】壁杭部の構成を示す断面図である。
【図６】壁杭部に埋設された芯材を示す図であり、（Ａ）は斜視図であり、（Ｂ）は正面図である。
【図７】芯材に用いられているＨ型鋼を示す図であり、（Ａ）は斜視図、（Ｂ）は断面図、（Ｃ）は正面図である。
【図８】芯材による荷重の伝達を示す図である。
【図９】従来の基礎構造を示す断面図である。
【図１０】本実施形態の基礎構造を示す断面図である。
【図１１】芯材に用いられる、表面にスタッドの取り付けられたＨ型鋼を示す図であり、（Ａ）は斜視図、（Ｂ）は断面図、（Ｃ）は正面図である。
【符号の説明】
【００２９】
２    建物
３    支持層                      ４    軟弱層
１０  ソイルセメント壁            １１  芯材
１２  Ｈ型鋼                      １３  ソイルセメント
１４  鋼板                        １５  凸部
１６  高強度ソイルセメント        １７  スタッド
１８  鉄骨                        ２０  壁杭部
３０  従来の基礎構造              ３１  基礎杭
４０  基礎構造                    ４１  基礎杭
【図５】
2007277831.tif 000003
【図６】
2007277831.tif 000004
【図７】
2007277831.tif 000005
【図８】
2007277831.tif 000006
【図９】
2007277831.tif 000007
【図１０】
2007277831.tif 000008
【図１１】
2007277831.tif 000009
【図１】
2007277831.tif 000010
【図２】
2007277831.tif 000011
【図３】
2007277831.tif 000012
【図４】
2007277831.tif 000013